(57)【要約】本例示的システム及び方法は、段ボール製梱包部材が内容物（例えば電化製品）の製造場所で封止されてしまった後に追加されるサンプルを同梱するために、主開放構造に対する補助的なアクセスを可能とする、梱包部材の外部上の構造に関する。発明の有益性は、サンプル材料を同梱するための単位工程及び労力が縮小化されることである。加えて、梱包構造は、生産地から販売地点までの間のサンプル材料の盗難を抑止する。盗難抑止は、サンプル材料が挿入された後に不正開封防止ラベルで該構造を覆うことで実現される。【選択図】図１Ｃ
2020533241.tif 000002
【特許請求の範囲】
【請求項１】
主梱包部材であって、
主内容物を保持するように構成された内部空間を画定する壁、及び、
前記主内容物を前記内部空間内に封入するように構成されている主アクセスフラップ、
を含んでいる主梱包部材と、
前記主梱包部材の少なくとも１つの壁によって画定されていて、付属材料のために前記内部空間へのアクセスを提供するように構成されている開放構造と、
を備え、
前記開放構造は、前記主梱包部材が前記主アクセスフラップを閉位置に維持したままの状態で、付属材料のための前記内部空間へのアクセスを提供するように構成されている、
梱包部材。
【請求項２】
前記開放構造は、更に、前記主梱包部材が前記内部空間内に保持されている主内容物の位置又は向きを維持したままの状態で、付属材料のために前記内部空間へのアクセスを提供するように構成されている、請求項１に記載の梱包部材。
【請求項３】
前記開放構造は、外側表面に画定されている補助開口部を覆って関節運動するように構成されたヒンジ式ドアを備え、前記補助開口部は前記付属材料を受け入れるように構成されている、請求項１に記載の梱包部材。
【請求項４】
前記主梱包部材は、前記補助開口部へ接続されていて前記付属材料を前記主内容物から隔てるように構成されている内部区画、を更に備えている、請求項３に記載の梱包部材。
【請求項５】
前記付属材料は補助梱包部材内に配置され、
前記内部区画は、摩擦嵌めによって前記補助梱包部材を前記内部空間内に固定するように構成されている、請求項４に記載の梱包部材。
【請求項６】
前記主内容物は、飲料機械を備える電化製品であり、
前記付属材料は前記飲料機械の動作に関連する消耗品である、請求項１に記載の梱包部材。
【請求項７】
前記主内容物を更に備えている、請求項１に記載の梱包部材。
【請求項８】
前記主梱包部材は段ボール材料から形成されている、請求項１に記載の梱包部材。
【請求項９】
段ボール材料から形成されていて内部空間を画定している壁と、
前記内部空間を封入している主アクセスフラップと、
少なくとも１つの壁であって、
前記内部空間の中へ延びる、外側表面の補助開口部、及び、
前記補助開口部を覆うヒンジ式ドア、
を画定している壁と、
を備え、
前記内部空間は前記補助開口部を通して付属材料を受け入れるように配置されている、
梱包部材。
【請求項１０】
補助開口部を通して受け入れられた前記付属材料を保持するための、前記内部空間の専用領域を画定している内部区画、を更に備えている、請求項９に記載の梱包部材。
【請求項１１】
前記内部区画は、前記補助開口部を通して受け入れられた前記付属材料と、前記主アクセスフラップによって前記内部空間に封入されている主内容物との間の保護バリアを画定する、請求項１０に記載の梱包部材。
【請求項１２】
前記ヒンジ式ドアは、少なくとも１つの壁を貫いて形成された目打ち孔によって画定されている、請求項９に記載の梱包部材。
【請求項１３】
前記ヒンジ式ドアは、前記目打ち孔に沿って前記少なくとも１つの壁の残部から分離するように構成されている、請求項１２に記載の梱包部材。
【請求項１４】
前記ヒンジ式ドアは、当該ヒンジ式ドアを操作するために構成された指係合構造を画定している、請求項１２に記載の梱包部材。
【請求項１５】
前記内部空間は、主内容物を所定の向きに保持するように構成されている、請求項９に記載の梱包部材。
【請求項１６】
前記主内容物の前記所定の向きが、付属材料が前記補助開口部を通して受け入れられるときに維持される、請求項１５に記載の梱包部材。
【請求項１７】
内部空間を画定する主梱包部材であって、それぞれ前記内部空間に接続されている主アクセスフラップ及び開放構造を含んでいる主梱包部材を提供する工程と、
前記主梱包部材で主内容物を所定の向きに梱包する工程であって、
前記主内容物を前記内部空間の中へ前記主アクセスフラップを通して挿入し、
前記主アクセスフラップを封止する、
ことによって主内容物を梱包する工程と、
前記内部空間内の前記主内容物の前記所定の向きを維持したままの状態で、付属材料を前記内部空間の中へ前記開放構造を通して挿入することによって前記主梱包部材で当該付属材料を梱包する工程と、
を備えている、梱包部材を組み立てるための方法。
【請求項１８】
前記主梱包部材を提供する工程は、前記主梱包部材の、前記内部空間を画定している壁に、ダイカッティング、レーザー切断、又はスタンピングのうちの１つ又はそれ以上によって前記開放構造を形成する工程を更に備えている、請求項１７に記載の方法。
【請求項１９】
前記開放構造は、前記内部空間を画定している前記主梱包部材の壁を貫いて形成された目打ち孔によって画定されているヒンジ式ドアを備えており、
前記付属材料を梱包する工程は、前記ヒンジ式ドアを前記目打ち孔に沿って前記壁の残部から分離する工程を更に備えている、請求項１７に記載の方法。
【請求項２０】
不正開封防止テープを使用して前記開放構造を封止する工程、を更に備えている請求項１９に記載の方法。
【発明の詳細な説明】
【技術分野】
【０００１】
関連出願の相互参照
本願は、２０１７年９月１２日出願の「組み立て済み梱包部材のための補助挿入構造」（“Ｓｅｃｏｎｄａｒｙ  Ｉｎｓｅｒｔｉｏｎ  Ｆｅａｔｕｒｅ  ｆｏｒ  Ａｓｓｅｍｂｌｅｄ  Ｐａｃｋａｇｅ”）と題された米国仮特許出願第６２／５５７，３４８号の、合衆国法典第３５巻、第１９条の下での優先権の恩典を主張し、同仮特許出願の内容全体をこれにより参考文献としてそっくりそのまま援用する。
【０００２】
本開示は、概括的には梱包システムに関するものであり、より具体的には、組み立て済み段ボール梱包部材内に付属材料及び／又は必須材料を挿入するためのユーティリティ構造に関する。
【背景技術】
【０００３】
歴史的には、小型電化製品及び他の完全組み立て済み機械（例えば、キューリグのコーヒーメーカー）は、製造コストや人件費の低い国（アジアやメキシコなど）で製造され、梱包され、それから販売のために米国や他の国へ出荷されている。最終的な小売場所への出荷に先立ち、サンプル材料又は付属部品、例えば材料、供給品、及び飲料ポッド（北米で生産）などが、電化製品梱包部材内に同梱される。
【０００４】
伝統的な電化製品の梱包設計は、電化製品のパレット積荷のばらし、電化製品の典型的には段ボール製の梱包部材の再開放、サンプル材料又は付属材料の挿入、電化製品の梱包部材の再封止、更なる処理及び配送に向けたパレット積荷の再組立、を要する。このプロセスは、多くの時間と労力を消費する。
【０００５】
また、場所、流通経路、及び既存の製造用アセンブリなどの製造上の制約が、（ｉ）アジア、メキシコ、又は他の電化製品製造拠点へのサンプル材料又は付属部品の出荷を妨げることも多く、というのも非効率的な物流のせいで製品の限られた保存可能期間の効率的使用が常に達成されるとは限らないからであり、あるいは（ｉｉ）少ない単位操作又は限定された労力でサンプル材料を同梱するプロセスを妨げることも多い。
【先行技術文献】
【特許文献】
【０００６】
【特許文献１】米国仮特許出願第６２／５５７，３４８号
【発明の概要】
【発明が解決しようとする課題】
【０００７】
そのため、工場で封止済みの主梱包部材にサンプル材料又は付属部品を追加するための効率的かつ経済的な方途が必要とされている。
【課題を解決するための手段】
【０００８】
本システム及び方法の或る例示的な実施形態は、主梱包部材の外部壁に開放構造を提供して、主梱包部材の主（大又は小）フラップの開放を要することなしに付属材料及び／又は必須材料を挿入するという実用性を提供することによって、上記の欠点を克服し、その様な装置について認識されている必要性を満たす。例示的なシステム及び方法は、主梱包部材の外側表面上の再閉止可能であるヒンジ式ドアを含む。
【０００９】
第１の態様では、本開示は梱包部材を含む。梱包部材は、主梱包部材を含んでいる。主梱包部材は、主内容物を保持するように構成された内部空間を画定する壁を含んでいる。主梱包部材は、更に、主内容物を内部空間内に封入するように構成されている主アクセスフラップを含んでいる。梱包部材は、更に、主梱包部材の少なくとも１つの壁の外側表面に画定されていて付属材料のために内部空間へのアクセスを提供するように構成されている開放構造を含んでいる。開放構造は、主梱包部材が（ｉ）主アクセスフラップを閉位置に維持し且つ（ｉｉ）内部空間内に保持されている主内容物の位置を維持したままの状態で、付属材料のために内部空間へのアクセスを提供するように構成されている。
【００１０】
数多くの特徴細分化及び追加の特徴が、第１の態様では適用可能であり、本開示に照らして検討される。これらの特徴細分化及び追加の特徴は、個別に使用されてもよいし、如何なる組合せで使用されてもよい。したがって、これから論じられる以下の特徴のそれぞれは、第１の態様の何れの他の特徴の組合せと共に使用されることもできるが、そのように要求されているわけではない。
【００１１】
或る実施形態では、開放構造は、外側表面に画定された補助開口部を覆って関節運動するように構成されたヒンジ式ドアを含んでいる。梱包部材は、更に、内部空間内の内部区画を画定していて外側表面によって画定された補助開口部へ接続されている内部構造を含んでいる。
【００１２】
別の実施形態では、付属材料は補助梱包部材内に配置されることができる。内部区画は、補助梱包部材を受け入れるように構成されてもよい。場合によっては、内部構造は、補助梱包部材の外部との摩擦嵌めを確定するように構成される。
【００１３】
別の実施形態では、主内容物は、飲料機械を備える電化製品であってもよい。付属材料は、飲料機械の動作に関連する消耗品であってもよい。
【００１４】
場合によっては、梱包部材は、更に、主内容物を含んでいてもよい。主梱包部材は段ボール材料から形成されていてもよい。
【００１５】
第２の態様では、本開示は梱包部材を含む。梱包部材は、段ボール材料から形成されていて内部空間を画定している壁を含んでいる。梱包部材は、更に、内部空間を封入している主アクセスフラップを含んでいる。梱包部材は、更に、外側表面に内部空間の中へ延びる補助開口部を画定している少なくとも１つの壁を含んでいる。少なくとも１つの壁は、更に、補助開口部を覆うヒンジ式ドアを画定している。内部空間は、補助開口部を通して付属材料を受け入れるように配置されている。主アクセスフラップは、開かれているときには、付属材料へのアクセスを可能にする。
【００１６】
数多くの特徴細分化及び追加の特徴が、第２の態様では適用可能であり、本開示に照らして検討される。これらの特徴細分化及び追加の特徴は、個別に使用されてもよいし、何れの組合せで使用されてもよい。したがって、これから論じられる以下の特徴のそれぞれは、第２の態様の何れの他の特徴の組合せと共に使用されることもできるが、そのように要求されているわけではない。
【００１７】
或る実施形態では、ヒンジ式ドアは、少なくとも１つの壁を貫いて形成された目打ち孔によって画定されることができる。ヒンジ式ドアは、目打ち孔に沿って、少なくとも１つの壁の残部から分離するように構成されてもよい。ヒンジ式ドアは、ヒンジ式ドアを操作するために構成された指係合構造を画定していてもよい。
【００１８】
別の実施形態では、梱包部材は、内部空間内に保持されている主内容物を、補助開口部を通して受け入れられる付属材料から隔てるように構成された内部構造を備えている。場合によっては、内部空間は、主内容物を所定の向きに保持するように構成されてもよい。付属材料が補助開口部を通して受け取られるときに主内容物の所定の向きは維持される。
【００１９】
別の実施形態では、パッキングは、ヒンジ式ドアを開口部の周りに封止するように構成されたシーラーを備えている。
【００２０】
第３の態様では、本開示は、梱包部材を組み立てるための方法を含む。方法は、内部空間を画定する主梱包部材を提供する工程を含んでおり、主梱包部材はそれぞれ内部空間に接続されている主アクセスフラップ及び開放構造を含んでいる。方法は、更に、（ｉ）主アクセスフラップを通して主内容物を内部空間の中へ挿入し、（ｉｉ）主アクセスフラップを封止する、ことによって主内容物を所定の向きにて主梱包部材で梱包する工程を含んでいる。方法は、更に、内部空間内の主内容物の所定の向きを維持したままの状態で、開放構造を通して付属材料を内部空間の中へ挿入することによって、付属材料を主梱包部材で梱包する工程を含んでいる。
【００２１】
数多くの特徴細分化及び追加の特徴が、第３の態様では適用可能であり、本開示に照らして検討される。これらの特徴細分化及び追加の特徴は、個別に使用されてもよいし、如何なる組合せで使用されてもよい。したがって、これから論じられる以下の構造のそれぞれは、第１の態様の何れの他の構造の組合せと共に使用されることもできるが、そのように要求されているわけではない。
【００２２】
或る実施形態では、主梱包部材を提供するという工程は、更に、主梱包部材の、内部空間を画定している壁に、ダイカッティング、レーザー切断、又はスタンピングのうちの１つ又はそれ以上によって開放構造を形成する工程を含んでいる。
【００２３】
別の実施形態では、開放構造は、主梱包部材の、内部空間を画定している壁を貫いて形成された目打ち孔によって画定されたヒンジ式ドアを含んでいる。場合によっては、付属材料を梱包するという工程は、更に、ヒンジ式ドアを目打ち孔に沿って壁の残部から分離する工程を含んでいる。
【００２４】
別の実施形態では、方法は、更に、不正開封防止テープを使用して開放構造を封止する工程を含んでいる。
【００２５】
上述の例示的な態様及び実施形態に加えて、更なる態様及び実施形態が、図面の参照及び以下の説明の考察によって明らかになるであろう。
【００２６】
開示は、添付図面と併せて以下の細な説明から容易に理解されることであり、図面中、同様の符号は同様の構造要素を指す。
【図面の簡単な説明】
【００２７】
【図１Ａ】梱包システムの斜視図を描いている。
【図１Ｂ】主梱包部材の部分破断図によって示されている様に、主内容物を封入した状態の図１Ａの梱包システムを描いている。
【図１Ｃ】主梱包部材に受け入れられた補助梱包部材の部分破断図によって示されている様に、付属内容物を封入した状態の図１Ｂの梱包システムを描いている。
【図２】主梱包部材に形成された開放構造の斜視図を描いている。
【図３】主梱包部材に形成された開放構造を通して主梱包部材の中へ挿入される補助梱包部材の斜視図を描いている。
【図４】主梱包部材の中へ挿入され主梱包部材によって封入された補助梱包部材の斜視組立図を描いている。
【図５】主梱包部材の中へ挿入され不正開封防止シーラーによって主梱包部材内に封止された補助梱包部材の斜視組立図を描いている。
【図６】梱包部材を組み立てるためのフロー線図を描いている。
【発明を実施するための形態】
【００２８】
添付図でのクロスハッチング又はシェーディングの使用は、概して、隣接する要素間の境界を明確にするため、そしてまた図を見やすくするために提供されている。したがって、クロスハッチング又はシェーディングの存在もしくは不在は、特定の材料、材料特性、要素比率、要素寸法、類似に描かれている要素同士の共通性、又は添付図中に描かれている如何なる要素についての如何なる他の特性、特質、性質についての如何なる優先性又は必要条件を伝えるものでも示唆するものでもない。
【００２９】
加えて、理解しておくべきこととして、様々な特徴及び要素（ならびにその集合体及び集団）の比率と寸法（相対又は絶対のどちらでも）及びそれらの間の提示されている境界、離隔距離、及び位置関係は、本明細書に記載されている様々な実施形態の理解を促すためだけに添付図に提供されているのであり、したがって必ずしも縮尺を合わせて提示又は図示されているとは限らないし、例示されている実施形態について、それに関連付けて説明されている諸実施形態を除いては、何らの優先性又は必要条件も示唆するものではない。
【００３０】
次に続く説明は、本開示の種々の要素を具現化している実例としてのシステム、方法、及び装置を含む。ただし、記載の開示は、本明細書で説明されているものに加えて様々な形態に実践され得るものと理解されたい。
【００３１】
本開示は、主梱包部材の組み立て後におそらくは最初の組み立てとは異なる場所で主梱包部材の内部にアクセスするためのシステムに関連するシステム、デバイス、及び技法を説明する。これは、補助梱包部材、サンプル、部品などを、便利で非破壊的に挿入することを可能にする。これは、補助梱包部材、サンプル、部品、などが腐敗しやすいもの又は保存可能期間が限られているものである場合に特に好都合である。１つの例示的な実施形態によれば、組み立て後の主梱包部材の内部にアクセスするためのシステムは、梱包部材の内部へのアクセスを可能にするダイカットされてヒンジ式になった「トラップドア」を含んでおり、「トラップドア」は再閉止可能であり主容器の外部壁にダイカットされている。
【００３２】
ここに説明されているシステム及び方法は、キューリグのコーヒーメーカー又はアルコール飲料製造用の飲料機械を含む他の飲料機械の様な電化製品を梱包するという文脈で提示されているが、最終的な流通拠点から遠く離れた場所で製造及び梱包されるさまざまな製品に適用することができる。加えて、システム及び方法は、製造され、最終的な出荷に先立って梱包されることになる製品であって、腐敗しやすい物、又は製造された物の見込み保存時間より短い保存可能期間を有する物を、最終的な出荷に先立って挿入することにより恩恵を得られるであろう如何なる製品と共に使用されてもよい。
【００３３】
本開示の様々な特徴を例示するのを補助する添付図面をこれより参照してゆく。このあとの説明は、例示と説明を目的として提示されている。また、説明は発明的諸態様を本明細書に開示されている形態に限定することを意図していない。よって、以下の教示及び関連技術の技量と知識に相応する変形や修正は本発明の諸態様の範囲内にある。
【００３４】
図１Ａは、１つの実施形態による、電化製品梱包システム１００（又はより一般的に本明細書では「梱包部材」と呼称する）を示している。図示のように、電化製品梱包システム１００すなわち梱包部材は、主梱包部材１１０と補助梱包部材１２０を含み得る。例示されている主梱包部材１１０は、電化製品（例えば、飲料機械）の様な製品をその製造及び組み立ての後に収納するように構成されている。多くの場合、電化製品の製造と組み立ては、最終的な出荷及び流通拠点から幾分離れて行われている。そのため、主梱包部材１１０は、組み立てられて、電化製品が詰められて、そしてその最初の組み立て場所からの配送のために封止される。
【００３５】
例示されている補助梱包部材１２０は、電化製品と関連付けられた付属材料を収納するように構成されている。付属材料は、電化製品の動作と関連付けられた消耗品であってもよい。考えられる消耗品には、飲料ポッド又は既定の保存可能期間を有する他の消耗品が含まれ、それらには、様々な紅茶、コーヒー、アルコール性飲料、スープ、炭酸化カートリッジ、及びそれらの変形物及び派生物が挙げられる。
【００３６】
梱包システム１００は、主アクセスフラップ又は組み立てられた電化製品用に構成されている他の開口部を開放することなく、主梱包部材１１０の内部空間の中へ補助梱包部材１２０を挿入することを可能にする働きをすることができる。これに関し、補助梱包部材１２０の付属材料は、主梱包部材の電化製品又は他の主内容物を乱すことなく主梱包部材１１０の内部空間へ追加できる。ゆえに、主梱包部材１１０は、補助梱包部材１２０が主梱包部材１１０の中へ進められる間、内部空間内の電化製品又は他の主内容物の位置、向き、集合、などを維持することができる。こうして、補助梱包部材１２０は、主梱包部材１１０に詰められた電化製品に関連する再梱包又は他のやり直しを回避できる効率的且つ経済的な方式で、主梱包部材１１０の中に挿入される。
【００３７】
ここに説明される主梱包部材及び補助梱包部材は、詰められる内容物を収容するために、様々な形状やサイズで、様々な異なる材料から構築され得ることを理解しておきたい。図１Ａの実施例では、主梱包部材１１０は全体として矩形角柱又は立方体形状として示されている。主梱包部材１１０は壁１１２を含んでいる。壁１１２は、主梱包部材１１０の内部空間を画定する構造壁であってもよい。壁１１２は、主梱包部材１１０のための（及び随意的には補助梱包部材１２０のための）構造的支持を提供するとともにその中に保持される主内容物のための保護を提供する厚さを有するものとすることができる。
【００３８】
主梱包部材１１０は、図１Ａに示されている主アクセスフラップ１１４も含んでいる。主アクセスフラップ１１４は、主梱包部材１１０の内部空間へのアクセスを提供するように構成されている。例えば、主アクセスフラップ１１４は、主梱包部材１１０によって画定される主開口部を覆って関節運動するヒンジ式パネル又は他の構造を含んでいてもよい。内部空間に詰められる主内容物（例えば、飲料を作る機械を含む電化製品）は、概して、例えば主アクセスフラップ１１４が（図１Ａに示されているような）開放形態にあるときに、主開口部の中へ進められる。よって、主アクセスフラップ１１４は、主内容物を内部空間の中に進めることを可能とし、しかも主開口部を覆い、主内容物を内部空間内に封入することのできるサイズ、形状、輪郭、などを有するものとすることができる。
【００３９】
主梱包部材１１０及び補助梱包部材１２０は、電化製品又は他の製品及び／又は関連品の梱包に使用される適切な材料で形成されていてもよい。１つの例示的な実施形態によれば、ボール紙、ポリマー、紙、カードストック、ラミネート材料、複合系材料、などが使用され得る。場合によっては、得られる梱包構造又はその一部分へ追加の構造的剛性を提供するために段ボール材料が使用され得る。
【００４０】
梱包システム１００は、概して、例えば電化製品を含む主内容物の梱包及び出荷以降に、補助梱包部材の便利で非破壊的な挿入を可能にするための開放構造を備えることができる。図１Ａの実施形態では、開放構造１３０が、主梱包部材１１０の内部空間を画定する壁１１２の１つに示されている。開放構造１３０は、広範には、例えば主アクセスフラップ１１４を開放することなしに、主梱包部材１１０の内部空間へのアクセスを可能にする任意の適切な構造又は部品の組立体もしくは部分組立体とすることができる。
【００４１】
開放構造１３０は、一例として示されている実施形態では、壁１１２の１つ又はそれ以上を貫いて形成された目打ち孔１３１によって部分的に画定されるヒンジ式ドアとして示されている。開放構造１３０は、更に、ここに説明されている開放構造１３０の機能性を実現しやすくする様々な他のドア、シール、ロック、スライド構造、窓、スクリーン、などを含んでいるか又はその様なものであってもよいことを理解しておきたい。
【００４２】
広範には、開放構造１３０は、主梱包部材１１０の主（大又は小）フラップ（例えば、主フラップ１１４）の開放を必要とすることなく、最初の組み立て場所から離れた場所で付属材料及び／又は必須材料を挿入するという実用性を提供する。付属材料及び／又は必須材料は、自由にされていてもよいし、又は代わりに補助梱包部材１２０内に収容されていてもよい。
【００４３】
ここに説明されているように、開放構造１３０は、主梱包部材１１０の１つ又はそれ以上の壁１１２によって形成されたヒンジ式ドアであってもよい。例えば、壁１１２の一部分が、実質的に壁１１２の厚さを貫いて延びている目打ち孔１３１を含んでいてもよい。目打ち孔１３１は、図１Ａに示されているような接続された３つの明確な線に沿って延びていてもよい。壁１１２の一部分は、目打ち孔１３１に沿って壁１１２の残部から分離され、その結果、目打ちされていないエッジ又はヒンジ状エッジに沿って関節運動できるようになる。
【００４４】
１つの例示的な実施形態によれば、主梱包部材１１０の壁１１２を貫いて形成される目打ち孔１３１は、組み立ての前に主梱包部材１１０の外部壁にダイカットされる。代わりに、目打ち孔１３１は、何ら限定するわけではないがレーザー切断、パンチング、プレス、スタンピング、などを含む、さまざまな製造方法で形成されてもよい。また、目打ち孔１３１は、組立ライン製造プロセスなどにおいて、主梱包部材１１２の組み立ての後に主梱包部材１１０の壁１１２を貫いて形成されてもよい。
【００４５】
ここに説明されている開放構造１３０は、概して、再閉止可能又は再封止可能である。例えば、開放構造１３０は、補助開口部を覆って関節運動し、それによって補助梱包部材１２０を主梱包部材１１０の内部空間の中へ挿入することを可能とするように構成されている。補助梱包部材１２０の挿入に続いて、補助開口部を覆うように開放構造を更に関節運動させれば、主梱包部材１１０の内部空間内に補助梱包部材１２０を封入することができる。
【００４６】
１つの実施形態によれば、付属材料又はサンプル材料は補助梱包部材１２０に収納される。代わりに、付属材料又はサンプル材料は、補助梱包部材１２０に収納されることなく開放構造１３０を介して主梱包部材１１０の中へ挿入されてもよく、その場合、それらは主梱包部材１１０の中で拘束されないことになる。
【００４７】
例示されているように、補助梱包部材１２０は、開放構造１３０が開かれているときに開放構造１３０を確実に通過するサイズであればよい。例えば、以下に更に詳細に説明されているように、棚、仕切り、内部壁、などのような、主梱包部材１１０の１つ又はそれ以上の内部構造が、補助梱包部材１２０を主梱包部材の内部空間内に保持する区画又は他の構成を画定していてもよい。場合により、この内部構造は、例えば、補助梱包部材を内部空間内にしっかりと保持するために、補助梱包部材１２０との摩擦嵌めを確立するのに役立つこともある。代わりに、補助梱包部材１２０又は非束縛付属材料又はサンプル材料は、目打ちされたドア１３０によって画定されている開口部よりも著しく小さくてもよい。
【００４８】
以上に説明されているように、図１Ａは、概して、一例としての開放形態にある梱包システム１００を描いている。例えば、図１Ａでは、主アクセスフラップ１１４は開かれていて、補助梱包部材１２０は主梱包部材１１０の内部空間から除かれている。
【００４９】
図１Ｂを参照すると、梱包システム１００は、主内容物が主梱包部材１１０の内部空間に封入された形態で示されている。例えば、図１Ｂは、主梱包部材１１０の内部空間１０１内に保持された実例としての主内容物１０２を例示している。主内容物１０２は、ここに説明されているように飲料を作る機械のような電化製品であってもよい。他の事例では、主内容物１０２は、遠くで製造され得る他の組み立て済みデバイス、電化製品、装置、などとされ得る。
【００５０】
主内容物１０２は、図１Ｂでは、概して、内部構造１１６によって内部空間１０１内に支持されているものとして示されている。内部構造１１６は、内部の棚、壁、支持体、仕切り、などであってもよい。内部構造１１６及び／又は主梱包部材１１０の他の構造は、主内容物１０２の位置又は向きを維持するのに役立つだろう。内部構造１１６は、更に、主梱包部材１１０の、補助梱包部材１２０を受け入れるように構成されている部分又は区画から主内容物を隔てるのに役立つであろう。そしてそういうものとして、主梱包部材の内部空間の位置は、補助梱包部材又は非束縛付属材料のための専用とされ又はそれのために確保されていてもよい。一つには補助梱包部材１２０が内部空間の自身専用部分を有することができるという理由で、補助梱包部材１２０は、主梱包部材の中に保持されている主内容物の位置又は向きを乱すことなく主梱包部材の中へ挿入されることができるのである。この機能性は、主内容物１０２が、その後の補助梱包部材１２０の追加にかかわらず、遠隔にて最終的な形態に組み立てられ梱包される（例えば、完全組立梱包済みとなる）ことを可能にする。
【００５１】
図１Ｃを参照すると、梱包システム１００は、補助梱包部材１２０が主梱包部材１１０内に受け入れられた形態で示されている。図１Ｃは、更に、補助梱包部材１２０内に保持されている実例としての付属材料１０４を例示している。付属材料１０４は、主内容物１０２と関連付けられる消耗材料とすることができる。１つの可能性として、主内容物１０２は、飲料機械のような電化製品であってもよく、そうすると付属材料１０４は、飲料ポッド、カートリッジ、カプセル、及び／又は飲料を抽出するか又はそれ以外のやり方で飲料を形成するといったような飲料機械の１つ又はそれ以上の動作を容易にするのに使用される他の構造体であってもよい。付属材料１０４は、数か月の期間というような短い保存可能期間を有しているかもしれず、そうすると製造時点ではなしに販売時点に相対的に近づけて付属材料１０４を主梱包部材１１０内に同梱するのが有利である。
【００５２】
図１Ｃに示されているように、主アクセスフラップ１１４が閉じられたままの状態で補助梱包部材１２０は主梱包部材１１０内に受け入れられる。図１Ｃに示されている様に、主内容物の位置又は向きは、補助梱包部材１２０の追加にもかかわらず乱されずに保たれる。したがって、補助梱包部材１２０は、実質的に最初の組み立て及び主内容物１０２の梱包の後の時点で主梱包部材１１０へ追加でき、それにより、主梱包部材１１０の中へ挿入された付属材料の見込まれる保存可能期間を最大化するのに役立つことができる。この方式では、主梱包部材１１０は、補助梱包部材１２０が挿入される間も、位置、向き、組み立て状態、などを維持できる。また、補助梱包部材１２０は、主アクセスフラップ１１４及び／又は主開口部を覆う他のフラップが閉じたままの状態で、主梱包部材１１０の中へ挿入される。
【００５３】
図２は、主梱包部材１１０に形成された開放構造１３０の斜視図である。図２の実施例では、開放構造１３０はヒンジ式ドアであり、開放形態で示されている。開放構造１３０は、開放形態にあるとき、主梱包部材１１０の壁の残部から少なくとも部分的に分離されている。開放構造１３０は、目打ちされておらず主梱包部材１１０から分離されていないヒンジ状エッジ１３２に沿って関節運動することができる。ヒンジ状エッジ１３２は、形の付けられたリリーフ、材料の量削減部、又はヒンジ動作を容易にする別のヒンジ構造を含んでいてもよい。代わりに、主梱包部材１１０を形成するのに使用される材料が、開放構造１３０に曲げ力が加えられたときに屈曲箇所がヒンジ状エッジ１３２にできるような十分に弱いものであってもよい。
【００５４】
ヒンジ式ドアを主梱包部材１１０の壁１１２の残部から分離するのを容易にするために、指係合構造１３４が自由エッジに沿って形成されていてもよい。指係合構造１３４は、ヒンジ式ドアに陥凹を形成する小さい切り抜きを含んでいる。指係合構造１３４は、ユーザーの指がドアに係合し、目打ち孔間の接続を破壊するのに十分な力を提供できるようにしており、するとドアは屈曲してドアの少なくとも１つの接続されているエッジ（例えば、ヒンジ状エッジ１３２）を中心にヒンジ動作できるようになり、それにより主梱包部材１１０の内部へのアクセスが可能となる。指係合構造１３４は小さな切り抜き又は陥凹として例示されているが、何ら限定するわけではないがタブ、嵌合構造、などを含め、さまざまな数の係合構造が使用され得る。
【００５５】
１つの実施形態によれば、開放構造１３０は、屈曲後に再閉止可能であって例えばドアの閉止及び封止を可能にするヒンジ式ドアとなるように構成されている。開放構造１３０の閉止は、開放構造１３０のエッジと主梱包部材１１０の嵌合相手の目打ちエッジとの間の干渉係合によって確保されることができる。代わりに、閉止を確約するために別の係合構造が形成されてもよい。また、使用後に開放構造１３０を主梱包部材１１０側へしっかり閉じるために接着剤又は封止部材を使用することもできるだろう。
【００５６】
図２に例示されているように、主梱包部材１１０は内部区画２００を含むものとすることができる。内部区画２００は、補助梱包部材１２０を受け入れるように構成されていてもよい。例えば、内部区画２００は、主梱包部材１１０の内部空間内での補助梱包部材１２０の動きを拘束することを含め、補助梱包部材１２０を支持する様々な内部棚、壁、隔壁、仕切り、支持体、などによって画定されていてもよい。このやり方では、主梱包部材１１０の内部空間は、補助梱包部材１２０のために確保された専用の部分又は更には隔離された部分を有することができるが、ただし、これは必要条件というわけではない。ここに説明されているように、補助梱包部材１２０（又はより一般的には付属材料）は、主梱包部材１１０の内部空間の中へ、非束縛に及び／又は主梱包部材１１０の内部空間の中での拘束なしに進められることができる。
【００５７】
１つの例示的な実施形態によれば、内部区画２００は複数の内部区画壁２２０によって少なくとも部分的に画定されている。示されているように、内部区画壁２２０は、付属材料もしくはサンプル材料又は補助梱包部材１２０を主梱包部材１１０内に収容されている電化製品又は他の要素から分離して内部区画２００を形成又は画定することができる。この分離は、付属材料もしくはサンプル材料又は補助梱包部材１２０を、以降の出荷、輸送、又は流通中に保護する（例えば、周りに保護バリアを画定する）ことができる。
【００５８】
図２は、更に、主梱包部材１１０の内部空間内に補助梱包部材１２０を受け入れることを容易にし得る他の実例としての内部構造を描いている。例えば、図２は、内部構造２１８と内部棚２１８を例示している。１つの実施形態では、内部構造２１８は、付属材料を、主梱包部材１１０内に保持されている電化製品の様な主内容物から隔てるのに役立つ。したがって、内部構造２１６は、主梱包部材の他の内部構造又は壁と共に、主梱包部材１１０内に付属材料のための専用空間を画定することができる。ひいては、これにより、主梱包部材１１０が、補助梱包部材１２０又は関連付けられた付属材料の存在又は不在にかかわらず主内容物の位置又は向きを維持することが可能になる（例えば、主内容物は実質的に乱されない状態に保たれるだろう）。
【００５９】
内部棚２１８は、主梱包部材１１０の他の内部特徴と共に、内部空間内に補助梱包部材１２０を受け入れ固定するのに役立つことができる。例えば、内部棚２１８は、補助梱包部材１２０をその上に滑り載せて主梱包部材１１０内に留置するプラットフォーム又は内部支持体を提供することができる。
【００６０】
ここに説明されているように、補助梱包部材１２０は、主梱包部材内にぴったり又はしっかり嵌る。１つの実施形態では、内部区画壁２２０、内部構造２１６、内部棚２１８、及び／又は他の構造のうちの１つ又はそれ以上が補助梱包部材１２０との摩擦嵌めを確立していてもよい。摩擦嵌めは、主梱包部材１１０内での補助梱包部材１２０の動きを制止する働きをして、以降の輸送及び販売活動をやり易くすることだろう。
【００６１】
１つの例示的な実施形態によれば、内部区画壁２２０、内部構造２１６、内部棚２１８、などは、主梱包部材１１０の組み立て中に主梱包部材１１０の内部表面へ組み付けられ及び結合される。結合技法には、さまざまな数の接着剤、締結具、又は組み立て法を使用することが含まれ、何ら限定するわけではないがグルー、ステープル、などが挙げられる。
【００６２】
加えて、図２に示されているように、主梱包部材１１０は内部ドア２１０を含んでいてもよい。内部ドア２１０は、主パッキングの１つ又はそれ以上の壁１１２から形成されていてもよい。場合によっては、内部ドア２１０は、主梱包部材１１０の内部表面を貫いて（例えば、目打ち孔を用いて）形成されているか、又は内部区画構造壁２２０の一部として形成される。図示されているように、内部ドア２１０は、内部区画２００を画定する追加の構造壁又は構造面を提供する。
【００６３】
組み立てられたとき、内部ドア２１０はヒンジ式目打ちドア１３０と嵌合することができる。１つの例示的な実施形態によれば、内部ドア２１０は、主梱包部材１１０の内部壁の一部として形成されていて、開放構造１３０によって画定されているヒンジ式ドアと同様の目打ち孔を含むように加工されている。代わりに、内部ドア２１０は、主梱包部材１１０の内部層にも内部区画壁２２０にも構造的に接続されていない浮動ヒンジ式フラップであってもよい。また、開放構造のヒンジ式ドアと同様に、内部ドア２１０は、形の付けられたリリーフ、材料の量削減部、又はヒンジ動作を容易にする別のヒンジ構造を含み得るヒンジ状表面を含んでいてもよい。代わりに、内部ドア２１０を形成するのに使用される材料が、内部ドア２１０へ曲げ力が加えられたときにヒンジ状エッジに屈曲箇所が作られるよう十分に脆弱化されていてもよい。
【００６４】
図３は、或る実施形態により、主梱包部材１１０に形成された開放構造を通して主梱包部材１１０の中へ挿入された補助梱包部材１２０の斜視図である。例示されているように、壁１１２は補助開口部を含んでおり、補助梱包部材１２０は補助開口部を通過する。開放構造１３０、内部ドア２１０、及び／又は他の仕掛けの構造は、補助開口部を覆うことができる。図３に示されている構成では、開放構造１３０及び内部ドア２１０を、補助開口部を露出する位置へ関節運動させると、内部区画２００への補助梱包部材１２０の挿入が可能になる。
【００６５】
例えば、補助梱包部材１２０は内部区画２００の中へ滑り込むことができる。内部区画２００内で、補助梱包部材１２０は、内部棚２１８、構造壁２００、内部構造２１６、及び／又は主梱包部材１１０の他の構造によって、留置され或いはそれ以外のやり方で支持されることができる。図３の実施例に示されている位置では、補助梱包部材１２０は、主梱包部材１１０の電化製品又は他の主内容物との係合から保護されることができる。図示されているように、補助梱包部材１２０は内部区画２００の中へ完全に滑り込み、しかも様々な係合構造、ドア、などが補助梱包部材１２０を主梱包部材１１０内に封入するための十分な空間的余裕を残している。
【００６６】
図４は、或る実施形態による、主梱包部材１１０の中へ挿入された補助梱包部材１２０の斜視組立図である。例示されているように、開放構造１３０及び内部目打ちドア２１０は、補助梱包部材１２０を主梱包部材１２０内に封入するように関節運動させられる。図４に示されているような幾つかの事例では、開放構造１３０は壁１１２の外側表面と面一になることができる。この方式では、主梱包部材１１０は外側表面の周りの整合した外形を維持することができる。
【００６７】
図５は、或る実施形態による、主梱包部材１１０の中へ挿入され主梱包部材１１０内に不正開封防止シーラー５００によって封止された補助梱包部材１２０の斜視組立図である。図示されているように、不正開封防止シーラー５００は、ヒンジ式目打ちドア１３０と主梱包部材１１０の外側表面との間の接面を覆っている。不正開封防止シーラー５００は、接面を封止して補助梱包部材１２０が内部区画２００内で動かないようにするように構成された任意の接着剤又は封止部材とすることができ、何ら限定するわけではないが、グルー、スティッカー、テープ、ステープル、などが挙げられる。１つの例示的な実施形態によれば、シーラントは、物理的で壊滅的な引き裂きによって不正開封された場合に、整合しないパターン又は文字、変化する色、などによって視覚的に実証する不正開封防止テープを備えている。
【００６８】
ここに論じられている実施形態の様々な機能性についての読み手の理解を促すために、プロセス６００を説明している図６のフロー線図をこれより参照する。ここに提示されている方法の特定の諸段階（及び段階の順序）が例示され、論じられているが、ここに提示される教示に矛盾しない他の方法（例示されているものより多い、少ない、又は異なる段階を含む）も想起され、本開示によって網羅される。
【００６９】
これに関し、図６を参照して、プロセス６００は概して梱包部材を組み立てる方法に関する。方法６００は、ここに説明されている梱包部材、梱包、梱包システム、などの何れと共に使用されてもよく、例えば、梱包システム又は梱包部材１００、主梱包部材１１０、補助梱包部材１２０、及びそれらの変形型及び実施形態などと共に使用され得る。
【００７０】
工程６０４にて、梱包材料が配置される。梱包材料は、主梱包部材１１０を形成するべく所望パターンに事前に切断されてもよいし、又は梱包材料は所望の主梱包部材を形成するようにカスタマイズされてもよい。例えば、図１Ａを参照して、段ボール材料又は他の梱包材料が壁１１２を形成するようなパターンに切断されてもよい。
【００７１】
工程６０８にて、アクセスドアがダイカットされる。例えば、図２を参照して、開放構造１３０、内部ドア２１０、又は他の構造が壁１１２へ切り込まれてもよい。場合によっては、これは壁の厚さを貫いて目打ち孔１３１を形成する段階を伴うこともあり、ユーザーは続いて壁の残部からヒンジ式ドアを分離することができる。以上に指摘されているように、アクセスドアは、ダイカッティング、スタンピング、レーザー切断、などを含むさまざまな製造方法によって切られることができる。加えて、以上に述べられているように、アクセスドアは主梱包部材１１０の組み立て後に形成されてもよい。
【００７２】
工程６１２にて、主梱包部材は組み立てられ、これには主梱包部材１１０の外側壁を結合することが含まれる。例えば、図２を参照して、内部壁２００、内部構造２１６、内部棚２１８、などが、主梱包部材１１０内の様々な表面に接続されてもよい。そのような構造は、主梱包部材１１０内に補助梱包部材１２０のための専用空間を画定し、それにより、主梱包部材１１０内に保持されている主内容物を乱すことなく補助梱包部材１２０を主梱包部材１１０の中へ挿入できるようにする。１つの実施形態によれば、内部区画２００は、内部目打ちドア２１０を含め、組み立て中に主梱包部材１１０に結合される。
【００７３】
次いで工程６１６にて、電化製品が主梱包部材に梱包される。そうすると、続いて、主梱包部材は（主内容物又は電化製品と共に）最初の製造組み立て地から出荷される。
【００７４】
これに関し、工程６１６にて主内容物をその中に梱包できるように、主梱包部材が提供される。例えば、図１Ａ及び図２を参照して、主梱包部材１１０は主アクセスフラップ及び開放構造を有して提供され得る。開放構造は、主アクセスフラップが閉止されたままの状態で、主梱包部材によって画定されている内部空間の中へ補助梱包部材が挿入できるようにする。
【００７５】
したがって、工程６１６は、主梱包部材を用いて主内容物を梱包する段階を伴う。例えば、図１Ｂを参照して、主内容物１０２は主梱包部材１１０の内部空間１０１内に梱包されることができる。主内容物１０２は、例えば内部構造１１６及び／又は発泡材、クッション材、ラッピング材、充填材、などのような他の梱包材料によって、主梱包部材１１０の内部空間１０１内に保持されることができる。主内容物１０２が主梱包部材１１０内に梱包されると、主アクセスフラップ１１４が閉じられ、それにより主内容物１０２を出荷又は他の後続梱包処理のために主梱包部材内に封止する。
【００７６】
工程６２０にて、主梱包部材が次の場所で受け取られる。次の場所で、主梱包部材の内部にアクセスドアを介してアクセスされる。例えば、図２を参照して、開放構造１３０は、主梱包部材の壁１１２を貫いて形成されている補助開口部をむき出しにする又は露にするように関節運動される。
【００７７】
工程６２４にて、補助物品が主梱包部材の内部空間の中へ挿入される。これは、主アクセスフラップを開くことなしに及び／又はそれ以外にも主梱包部材の主内容物を乱すことなしに起こる。例えば、図３を参照して、補助梱包部材１２０（又は緩く組み立てられた）補助梱包部材、サンプル、部品、及び／又は腐敗しやすい物が主梱包部材１１０の内部空間の中へ挿入され、これには一部の実施形態での内部区画２００内へ挿入されることが含まれる。
【００７８】
工程６２８にて、補助梱包部材及び関連した付属材料は、主梱包部材内に封入される。例えば、図５を参照して、シーラー５００のような不正開封防止テープが、壁１１２の、開放構造１３０を有する区域及びその区域の周りに貼られてもよい。場合によっては、これは、窃盗／盗難を抑止するのに役立ち得る粘着ラベル又はオーバーシールを含んでいてもよい。梱包部材は、次いで、他の卸業者、販売地点、又は消費者に出荷される。
【００７９】
他の実施例及び実装は、開示及び付随の特許請求の範囲の範囲及び精神の内にある。例えば、諸機能を実装する特徴は、機能の諸部分が異なる物理的場所に実装されるような分散化を含め、物理的に様々な位置に配置されることもできる。更に、特許請求の範囲での使用を含めここでの使用に際し、「少なくとも１つの」によって前置きされる物のリストで使用されるところの「又は」は、例えば、「Ａ、Ｂ、又はＣのうちの少なくとも１つ」というリストなら、Ａ又はＢ又はＣ又はＡＢ又はＡＣ又はＢＣ又はＡＢＣ（即ちＡとＢとＣ）を意味するというように、離接的リストを含意している。また、「例示的」という用語は、記載されている実施例が他の実施例よりも好適又は優良であることを意味するものではない。
【００８０】
以上の説明は、解説を目的として、記載された実施形態の十分な理解を提供するために特定の術語を使用している。ただし、それら特定の詳細事項は記載された実施形態を実践するための必要条件とされているわけではないことが当業者には自明であろう。したがって、本明細書に記載されている特定の実施形態の以上の記述は、例示と説明を目的に提示されているのである。それらは、網羅的であることを目標とするものでもなければ、実施形態を開示されている厳密な形態に限定することを目標とするものでもない。上記教示に照らし、多くの修正型又は変形型が実施可能であることが当業者には自明であろう。
【符号の説明】
【００８１】
１００  電化製品の梱包システム
１０１  内部空間
１０２  主内容物
１０４  付属材料
１１０  主梱包部材
１１２  壁
１１４  主アクセスフラップ
１１６  内部構造
１２０  補助梱包部材
１３０  開放構造
１３１  目打ち孔
１３２  ヒンジ状エッジ
１３４  指係合構造
２００  内部区画
２１０  内部ドア
２１６  内部構造
２１８  内部棚
２２０  内部区画壁
５００  不正開封防止シーラー
【図１Ａ】
2020533241.tif 000003
【図１Ｂ】
2020533241.tif 000004
【図１Ｃ】
2020533241.tif 000005
【図２】
2020533241.tif 000006
【図３】
2020533241.tif 000007
【図４】
2020533241.tif 000008
【図５】
2020533241.tif 000009
【図６】
2020533241.tif 000010
【国際調査報告】
2020533241.tif 000011